(57)【要約】【課題】  除染対象室における除染剤の濃度を許容濃度まで迅速に減衰させることのできる除染対象室の構造。【解決手段】  本発明にかかる除染対象室（１０）の構造は、除染対象室内の空気の温度を計測する計測部（１１）と、除染対象室の内部へ清浄な空気を供給する空調機（１２）と、除染対象室における除染剤の濃度が低下し始めてから一定時間が経過した後に、計測部で計測した温度よりも高い温度の清浄な空気を除染対象室の内部へ供給するように空調機を制御する制御部（１３）とを備えている。【選択図】  図１
2014033753.tif 000002
【特許請求の範囲】
【請求項１】
除染対象室における除染剤の濃度を減衰させる方法であって、
前記除染対象室における除染剤の濃度が低下し始めてから一定時間が経過した後に、前記除染対象室内の空気の温度を所定温度まで上昇させることを含むことを特徴とする濃度減衰方法。
【請求項２】
前記除染対象室内の空気の温度を計測することと、
計測した温度よりも高い温度の清浄な空気を前記除染対象室の内部へ供給することと、
前記除染対象室内の空気を外部へ排出することとを含むことを特徴とする請求項１に記載の濃度減衰方法。
【請求項３】
前記除染対象室内に設けられたヒーターを用いて前記除染対象室内の空気を加温することを含むことを特徴とする請求項１または２に記載の濃度減衰方法。
【請求項４】
除染対象室における除染剤の濃度を減衰させる方法であって、
前記除染対象室における除染剤の濃度が低下し始めてから一定時間が経過した後に、前記除染対象室内の空気の湿度を所定湿度まで低下させることを含むことを特徴とする濃度減衰方法。
【請求項５】
前記除染対象室内の空気の湿度を計測することと、
計測した湿度よりも低い湿度の清浄な空気を前記除染対象室の内部へ供給することと、
前記除染対象室内の空気を外部へ排出することとを含むことを特徴とする請求項４に記載の濃度減衰方法。
【請求項６】
前記除染対象室内に設けられた除湿機を用いて前記除染対象室内の空気を除湿することを含むことを特徴とする請求項４または５に記載の濃度減衰方法。
【請求項７】
前記除染対象室内の入り隅部のように空気が滞留して湿度が上昇し易い場所において空気の湿度を計測することと、
前記湿度が上昇し易い場所に設置された温風機、除湿機、または送風機を用いて前記除染対象室内の物体の表面を乾燥させることとを含むことを特徴とする請求項４乃至６のいずれか１項に記載の濃度減衰方法。
【請求項８】
除染対象室の構造であって、
前記除染対象室内の空気の温度を計測する計測部と、
前記除染対象室の内部へ清浄な空気を供給する空調機と、
前記除染対象室における除染剤の濃度が低下し始めてから一定時間が経過した後に、前記計測部で計測した温度よりも高い温度の清浄な空気を前記除染対象室の内部へ供給するように前記空調機を制御する制御部とを備えていることを特徴とする除染対象室の構造。
【請求項９】
除染対象室の構造であって、
前記除染対象室内の空気の湿度を計測する計測部と、
前記除染対象室の内部へ清浄な空気を供給する空調機と、
前記除染対象室における除染剤の濃度が低下し始めてから一定時間が経過した後に、前記計測部で計測した湿度よりも低い湿度の清浄な空気を前記除染対象室の内部へ供給するように前記空調機を制御する制御部とを備えていることを特徴とする除染対象室の構造。
【発明の詳細な説明】
【技術分野】
【０００１】
本発明は、除染対象室の構造、および除染剤の濃度減衰方法に関する。さらに詳細には、本発明は、例えば医薬品工場における除染対象室の構造および除染剤の濃度を減衰させる方法に関するものである。
【背景技術】
【０００２】
例えば医薬品工場における除染対象室の床、壁、天井、室内の什器など（以下、単に「物体」ともいう）の表面を、過酸化水素のような除染剤を用いて除染する除染剤発生装置が知られている。除染剤発生装置は、水溶液の状態にある過酸化水素を加熱によりガス化し、ガス化した除染剤（除染ガス）を室内の空気中に拡散させる。空気中に拡散された除染ガスは、空気中を伝搬して除染すべき物体の表面に到達し、表面に付着した除染剤の作用により物体の表面の滅菌が行われる。
【０００３】
除染剤の拡散によって滅菌された除染対象室へ人が入って作業をするには、除染対象室内の除染剤の濃度を許容濃度まで低下させる必要がある。従来、温度および湿度がほぼ一定の清浄な空気を除染対象室の内部へ供給し続けることにより、除染剤の濃度を許容濃度まで徐々に低下させている。
【発明の概要】
【発明が解決しようとする課題】
【０００４】
温度および湿度がほぼ一定の清浄な空気を除染対象室の内部へ供給し続けることにより除染剤の濃度を徐々に低下させる従来の技術では、除染剤の濃度を許容濃度まで減衰させるのに多大な時間を要し、作業効率が悪いという不都合があった。
【０００５】
本発明は、前述の課題に鑑みてなされたものであり、除染対象室における除染剤の濃度を許容濃度まで迅速に減衰させることのできる、除染対象室の構造および除染剤の濃度減衰方法を提供することを目的とする。
【課題を解決するための手段】
【０００６】
前記課題を解決するために、本発明の第１形態では、除染対象室における除染剤の濃度を減衰させる方法であって、
前記除染対象室における除染剤の濃度が低下し始めてから一定時間が経過した後に、前記除染対象室内の空気の温度を所定温度まで上昇させることを含むことを特徴とする濃度減衰方法を提供する。
【０００７】
本発明の第２形態では、除染対象室における除染剤の濃度を減衰させる方法であって、
前記除染対象室における除染剤の濃度が低下し始めてから一定時間が経過した後に、前記除染対象室内の空気の湿度を所定湿度まで低下させることを含むことを特徴とする濃度減衰方法を提供する。
【０００８】
本発明の第３形態では、除染対象室の構造であって、
前記除染対象室内の空気の温度を計測する計測部と、
前記除染対象室の内部へ清浄な空気を供給する空調機と、
前記除染対象室における除染剤の濃度が低下し始めてから一定時間が経過した後に、前記計測部で計測した温度よりも高い温度の清浄な空気を前記除染対象室の内部へ供給するように前記空調機を制御する制御部とを備えていることを特徴とする除染対象室の構造を提供する。
【０００９】
本発明の第４形態では、除染対象室の構造であって、
前記除染対象室内の空気の湿度を計測する計測部と、
前記除染対象室の内部へ清浄な空気を供給する空調機と、
前記除染対象室における除染剤の濃度が低下し始めてから一定時間が経過した後に、前記計測部で計測した湿度よりも低い湿度の清浄な空気を前記除染対象室の内部へ供給するように前記空調機を制御する制御部とを備えていることを特徴とする除染対象室の構造を提供する。
【発明の効果】
【００１０】
本発明では、除染対象室における除染剤の濃度が低下し始めてから一定時間が経過した後に、除染対象室内の空気の温度を所定温度まで上昇させること、および／または除染対象室内の空気の湿度を所定湿度まで低下させることを行う。その結果、除染対象室における除染剤の濃度を許容濃度まで迅速に減衰させることができる。
【図面の簡単な説明】
【００１１】
【図１】本発明の実施形態の第１実施例にかかる除染対象室の構造を概略的に示す図である。
【図２】第１実施例の作用効果を実験結果により定性的に説明する図である。
【図３】本実施形態の第２実施例にかかる除染対象室の構造を概略的に示す図である。
【図４】第２実施例の作用効果を実験結果により定性的に説明する図である。
【図５】第１実施例の変形例の要部構成を概略的に示す図である。
【図６】第１実施例の別の変形例の要部構成を概略的に示す図である。
【図７】第２実施例の変形例の要部構成を概略的に示す図である。
【発明を実施するための形態】
【００１２】
本発明者は、種々の研究および実験を重ねることにより、相対湿度の比較的高い雰囲気では過酸化水素などの除染剤が物体の表面に付着（吸着）し易く、一旦付着した除染剤は乾燥しないと物体表面に残存し易いという知見、換言すれば相対湿度を低下させることにより除染剤が物体表面から雰囲気中へ飛び出し易くなるという知見を得た。本発明は、この知見に基づいてなされたものである。
【００１３】
本発明の実施形態を、添付図面に基づいて説明する。図１は、本発明の実施形態の第１実施例にかかる除染対象室の構造を概略的に示す図である。本実施形態の各実施例では、医薬品工場における除染対象室において過酸化水素からなる除染剤の濃度を許容濃度まで迅速に減衰させる構造に対して本発明を適用している。
【００１４】
図１を参照すると、第１実施例にかかる除染対象室１０は、室内の空気の温度を計測する計測部としての温度センサ１１と、吹出し口１２ａを介して除染対象室１０の内部へ清浄な空気を供給する空調機１２と、温度センサ１１の計測結果に基づいて空調機１２を制御する制御部１３と、除染対象室１０内の空気を外部へ排出する排出口１４とを備えている。
【００１５】
第１実施例では、空調機１２から吹出し口１２ａを介して除染対象室１０の内部へ温度および湿度がほぼ一定の清浄な空気が供給されている状態において、図示を省略した除染剤発生装置を用いて除染剤を拡散（分散）させることにより、除染対象室１０の滅菌が行われる。この場合、除染剤発生の開始時点から除染剤の濃度が徐々に上昇し、除染剤発生の停止時点には除染剤の濃度がほぼ最大値に達する。
【００１６】
図２（ａ）に示すように、除染剤発生を停止した後も温度および湿度がほぼ一定の清浄な空気を除染対象室１０の内部へ供給し続ける比較例（従来技術）では、除染剤発生の停止により除染剤の濃度は徐々に低下し、やがて図中破線で示す許容濃度まで減衰する。しかしながら、図２（ａ）に示す比較例では、除染剤の濃度を許容濃度まで減衰させるのに多大な時間を要する。これは、除染剤の濃度がある程度低下すると、除染剤が物体表面から空気中へ飛び出しにくくなるからである。
【００１７】
第１実施例では、図２（ｂ）に示すように、除染対象室１０における除染剤の濃度が低下し始めてから一定時間が経過した後に、除染対象室１０内の空気の温度を所定温度まで上昇させる。具体的に、制御部１３は、除染対象室１０における除染剤の濃度が低下し始めてから一定時間が経過した後に、温度センサ１１で計測した室内の温度よりも高い温度の清浄な空気を除染対象室１０の内部へ供給するように空調機１２を制御することにより、除染対象室１０内の空気の温度を所定温度まで上昇させる。
【００１８】
除染対象室１０内の空気の温度を上昇させることは、除染対象室１０内の空気の相対湿度を低下させることに他ならない。その結果、図２（ｂ）に示すように、除染対象室１０内の空気温度の上昇により、除染剤の濃度は一時的に上昇するが、その後は図２（ａ）に示す比較例に比して迅速に減衰する。これは、上述したように、物体表面に付着していた除染剤が、除染対象室１０内の空気温度の上昇（ひいては物体表面の乾燥）により、空気中へ飛び出し易くなるからである。
【００１９】
つまり、図２（ｂ）に示す第１実施例では、除染対象室１０内の空気温度の上昇により物体表面からの除染剤の脱着が促進され、その結果として除染剤の濃度の減衰時間が短縮される。ここで、物体表面からの除染剤の脱着とは、除染剤の付着と逆の意味、すなわち除染剤が物体表面から空気中へ飛び出すことを意味している。なお、図２（ａ）および図２（ｂ）は、実験により得られた結果を定性的に示したものである。この点は、後述の図４（ａ）および図４（ｂ）についても同様である。
【００２０】
第１実施例において、温度および湿度がほぼ一定の清浄な空気を除染対象室１０の内部へ供給し続けた状態における除染剤の濃度の変化特性は、実験などにより予め知ることができる。したがって、除染対象室１０内の空気温度を上昇させる適切なタイミング、除染対象室１０内の空気温度の適切な上昇幅などについても、実験などにより予め設定することができる。
【００２１】
以上のように、第１実施例では、除染対象室１０における除染剤の濃度が低下し始めてから一定時間が経過した後に、除染対象室１０内の空気の温度を所定温度まで上昇させる。その結果、除染対象室１０内の空気温度の上昇により物体表面からの除染剤の脱着が促進され、除染対象室１０における除染剤の濃度を許容濃度まで迅速に減衰させることができる。こうして、除染剤の濃度減衰時間の短縮により作業効率の向上を図るとともに、除染剤による建材（床面、天井面、壁面の建材）などの腐食の発生を抑えることができる。
【００２２】
図３は、本実施形態の第２実施例にかかる除染対象室の構造を概略的に示す図である。第２実施例の除染対象室は、第１実施例の除染対象室と類似の構造を有する、しかしながら、除染対象室１０Ａ内の空気の湿度を所定湿度まで低下させる手法を採用している点が、除染対象室１０内の空気の温度を所定温度まで上昇させる手法を採用している第１実施例と相違している。図３では、図１に示す構成要素と同様の機能を有する要素に、図１と同じ参照符号を付している。以下、第１実施例との相違点に着目して、第２実施例の構成および作用を説明する。
【００２３】
図３を参照すると、第２実施例にかかる除染対象室１０Ａは、室内の空気の湿度を計測する計測部としての湿度センサ１１Ａと、吹出し口１２ａを介して除染対象室１０Ａの内部へ清浄な空気を供給する空調機１２と、湿度センサ１１Ａの計測結果に基づいて空調機１２を制御する制御部１３Ａと、除染対象室１０Ａ内の空気を外部へ排出する排出口１４とを備えている。
【００２４】
第１実施例において説明したように、温度および湿度がほぼ一定の清浄な空気を除染対象室１０Ａの内部へ供給し続ける比較例では、図４（ａ）に示すように、除染剤発生の停止により除染剤の濃度は徐々に低下し、やがて図中破線で示す許容濃度まで減衰する。第２実施例では、図４（ｂ）に示すように、除染対象室１０Ａにおける除染剤の濃度が低下し始めてから一定時間が経過した後に、除染対象室１０Ａ内の空気の湿度を所定湿度まで低下させる。
【００２５】
具体的に、制御部１３Ａは、除染対象室１０Ａにおける除染剤の濃度が低下し始めてから一定時間が経過した後に、湿度センサ１１Ａで計測した室内の空気の湿度よりも低い湿度の清浄な空気を除染対象室１０Ａの内部へ供給するように空調機１２を制御することにより、除染対象室１０Ａ内の空気の湿度を所定湿度まで低下させる。
【００２６】
その結果、図４（ｂ）に示すように、除染対象室１０Ａ内の空気の湿度の低下により、除染剤の濃度は一時的に上昇するが、その後は図４（ａ）に示す比較例に比して迅速に減衰する。これは、上述したように、物体表面に付着していた除染剤が、除染対象室１０Ａ内の空気の湿度の低下により、ひいては物体表面の乾燥により、空気中へ飛び出し易くなるからである。
【００２７】
つまり、図４（ｂ）に示す第２実施例では、除染対象室１０内の空気の湿度の低下により物体表面からの除染剤の脱着が促進され、その結果として除染剤の濃度の減衰時間が短縮される。第２実施例においても、除染対象室１０Ａ内の空気の湿度を低下させる適切なタイミング、除染対象室１０Ａ内の空気の湿度の適切な低下幅などについて、実験などにより予め設定することができる。
【００２８】
こうして、第２実施例では、除染対象室１０Ａにおける除染剤の濃度が低下し始めてから一定時間が経過した後に、除染対象室１０Ａ内の空気の湿度を所定湿度まで低下させるので、除染対象室１０Ａ内の空気の湿度の低下により物体表面からの除染剤の脱着が促進され、ひいては除染対象室１０Ａにおける除染剤の濃度を許容濃度まで迅速に減衰させることができる。
【００２９】
なお、上述の第１実施例では、温度センサ１１で計測した室内の温度よりも高い温度の清浄な空気を除染対象室１０の内部へ供給することにより、除染対象室１０内の空気の温度を所定温度まで上昇させている。しかしながら、これに限定されることなく、図５に示すように、除染剤発生装置５０が内蔵するヒーター５１（例えばファン付きヒーター）を用いて除染対象室１０Ｂ内の空気を加温（加熱）することにより、除染対象室１０Ｂ内の空気の温度を所定温度まで上昇させても良い。
【００３０】
あるいは、図６に示すように、除染対象室１０Ｃ内に別途設置されたヒーター５２（例えばファン付きヒーター）を用いて除染対象室１０Ｃ内の空気を加温することにより、除染対象室１０Ｃ内の空気の温度を所定温度まで上昇させても良い。ヒーター５１，５２の操作は、リモートコントロールにより行われる。
【００３１】
図５の変形例および図６の変形例では、吹出し口１２ａを介して除染対象室１０Ｂ，１０Ｃの内部へ温度および湿度がほぼ一定の清浄な空気を供給し続けても良い。あるいは、第１実施例の場合と同様に、除染対象室１０Ｂ，１０Ｃにおける除染剤の濃度が低下し始めてから一定時間が経過した後に、室内の温度よりも高い温度の清浄な空気を除染対象室１０Ｂ，１０Ｃの内部へ供給しても良い。
【００３２】
また、上述の第２実施例では、湿度センサ１１Ａで計測した室内の湿度よりも低い湿度の清浄な空気を除染対象室１０Ａの内部へ供給することにより、除染対象室１０Ａ内の空気の湿度を所定湿度まで低下させている。しかしながら、これに限定されることなく、図７に示すように、除染対象室１０Ｄ内に別途設置された除湿機５３（例えばファン付き除湿機）を用いて除染対象室１０Ｄ内の空気を除湿することにより、除染対象室１０Ｄ内の空気の湿度を所定湿度まで低下させても良い。
【００３３】
除湿機５３の操作は、リモートコントロールにより行われる。図７の変形例では、吹出し口１２ａを介して除染対象室１０Ｄの内部へ温度および湿度がほぼ一定の清浄な空気を供給し続けても良い。あるいは、第２実施例の場合と同様に、除染対象室１０Ｄにおける除染剤の濃度が低下し始めてから一定時間が経過した後に、室内の空気の湿度よりも低い湿度の清浄な空気を除染対象室１０Ｄの内部へ供給しても良い。
【００３４】
また、上述の第１実施例および第２実施例の変形例として、除染対象室内の入り隅部のように空気が滞留して湿度が上昇し易い場所に湿度センサを設置して、空気の湿度を計測する構成も可能である。この変形例では、湿度センサの計測結果を参照し、湿度が上昇し易い場所に設置された温風機、除湿機、または送風機を用いて除染対象室内の物体の表面を乾燥させることにより、除染対象室における除染剤の濃度を許容濃度まで迅速に減衰させることができる。
【００３５】
なお、上述の説明では、第１実施例において除染対象室１０内の空気の温度を所定温度まで上昇させる手法を採用し、第２実施例において除染対象室１０Ａ内の空気の湿度を所定湿度まで低下させる手法を採用している。しかしながら、これに限定されることなく、除染対象室内の空気の温度を所定温度まで上昇させる手法と、除染対象室内の空気の湿度を所定湿度まで低下させる手法とを併用しても良い。
【００３６】
具体的には、温湿度センサで計測した室内の温度よりも高い温度を有し且つ温湿度センサで計測した室内の湿度よりも低い湿度を有する清浄な空気を除染対象室の内部へ供給することにより、除染対象室内の空気の温度を所定温度まで上昇させ且つ除染対象室内の空気の湿度を所定湿度まで低下させても良い。
【００３７】
また、室内の温度よりも高い温度を有し且つ室内の湿度よりも低い湿度を有する清浄な空気を除染対象室の内部へ供給することに代えて、あるいは室内の温度よりも高い温度を有し且つ室内の湿度よりも低い湿度を有する清浄な空気を除染対象室の内部へ供給することに加えて、ヒーターを用いて除染対象室内の空気を加温したり、除湿機を用いて除染対象室内の空気を除湿したりしても良い。
【００３８】
また、上述の説明では、除染剤として過酸化水素を用いている。しかしながら、過酸化水素に限定されることなく、オゾン、過酢酸、エチレンガス、ホルムアルデヒドなどの除染剤を用いることもできる。
【００３９】
また、上述の説明では、医薬品工場における除染対象室の構造および除染剤の濃度減衰方法に対して本発明を適用している。しかしながら、医薬品工場に限定されることなく、例えば実験動物飼育施設のような施設における除染対象室の構造および除染剤の濃度減衰方法に対しても本発明を適用することができる。
【符号の説明】
【００４０】
１０，１０Ａ，１０Ｂ，１０Ｃ，１０Ｄ  除染対象室
１１  温度センサ
１１Ａ  湿度センサ
１２  空調機
１３，１３Ａ  制御部
１４  排出口
５０  除染剤発生装置
５１，５２  ヒーター
５３  除湿機
【図１】
2014033753.tif 000003
【図２】
2014033753.tif 000004
【図３】
2014033753.tif 000005
【図４】
2014033753.tif 000006
【図５】
2014033753.tif 000007
【図６】
2014033753.tif 000008
【図７】
2014033753.tif 000009